(57)【要約】【課題】  可視光が人体に与える影響に基づく理論を応用して、安全且つ効率的に肩凝り、関節痛、腰痛、神経痛等の治療，ストレス解消や緊張緩和等の効果を発揮することができる照射器を提供する。【解決手段】照射器１は、皮膚に接触する接触面２を有する接触端部３を備え、当該接触面２に、所定の波長の第一の可視光を発する第一発光部４、及び、前記第一の可視光よりも波長の短い第二の可視光を発する第二発光部５、が設けられる。【選択図】図１
2020141809.tif 000002
【特許請求の範囲】
【請求項１】
皮膚に接触する接触面を有する接触端部を備え、
当該接触面に、所定の波長の第一の可視光を発する第一発光部、及び、前記第一の可視光よりも波長の短い第二の可視光を発する第二発光部、が設けられることを特徴とする照射器。
【請求項２】
前記第二発光部は複数設けられ、当該第二発光部は、前記第一発光部を中心とする同一円周上に形成されることを特徴とする請求項１に記載の照射器。
【請求項３】
前記第二発光部は前記同一円周上に等間隔に６以上設けられることを特徴とする請求項２に記載の照射器。
【請求項４】
前記第一の可視光は、主波長が４９５ｎｍ以上であり、前記第二の可視光は、主波長が４９５ｎｍ未満であることを特徴とする請求項１から請求項３のいずれかに記載の照射器。
【請求項５】
前記第一発光部及び前記第二発光部の光度を調整可能な明るさ調整部を有することを特徴とする請求項１から請求項４のいずれかに記載の照射器。
【請求項６】
前記第一発光部及び前記第二発光部はそれぞれＬＥＤ発光体であることを特徴とする請求項１から請求項５のいずれかに記載の照射器。
【発明の詳細な説明】
【技術分野】
【０００１】
本発明は、可視光を皮膚に照射する照射器に関する。
【背景技術】
【０００２】
従来より赤外線又は遠赤外線を皮膚に照射することで、患部を温めて治療する赤外線治療器が知られている（特許文献１参照）。これは患部を温めることにより血行が良くなり、筋肉痛や神経痛などの痛みが緩和されるものである。
【０００３】
また、本願の出願人は、特定の色彩が生体に与える影響を知見し、特定の色彩を組み合わせた皮膚接触治療具を開示している。この皮膚接触治療具は、透光性を有する薄肉円板状のシートの中央部に赤色を付すとともに赤色を中心にその周囲を取り囲むように青色を付して形成し、この皮膚接触治療具を皮膚に張り付けることによって、肩凝り、腰痛、神経痛等の治療，ストレス解消や緊張緩和等の効果を発揮できるものである（特許文献２参照）。
【先行技術文献】
【特許文献】
【０００４】
【特許文献１】特開２００５−２４６００５号公報
【特許文献２】特開平０８−１５０１７０号公報
【発明の概要】
【発明が解決しようとする課題】
【０００５】
ところで、特許文献２の皮膚接触治療具は、シート状に形成されており、皮膚の適切な位置に貼り付けた状態を長時間維持するものであり、短時間で効率的に肩凝り、腰痛、神経痛等の改善を図るものではない。
【０００６】
そこで、本発明は、可視光が人体に与える影響に基づく理論を応用して、安全且つ効率的に肩凝り、関節痛、腰痛、神経痛等の治療，ストレス解消や緊張緩和等の効果を発揮することができる照射器を提供することを目的とする。
【課題を解決するための手段】
【０００７】
本発明の照射器は、皮膚に接触する接触面を有する接触端部を備え、当該接触面に、所定の波長の第一の可視光を発光する第一発光部、及び、前記第一の可視光よりも波長の短い第二の可視光を発光する第二発光部、が設けられることを特徴としている。
【０００８】
本発明の照射器は、前記第二発光部は複数設けられ、当該第二発光部は、前記第一発光部を中心とする同一円周上に形成されることを特徴としている。
【０００９】
本発明の照射器は、前記第二発光部は前記同一円周上に等間隔に６以上設けられることを特徴とする請求項２に記載の照射器。
【００１０】
本発明の照射器は、前記第一の可視光は、主波長が４９５ｎｍ以上であり、前記第二の可視光は、主波長が４９５ｎｍ未満であることを特徴としている。
【００１１】
本発明の照射器は、前記第一発光部及び前記第二発光部の光度を調整可能な明るさ調整部を有することを特徴としている。
【００１２】
本発明の照射器は、前記第一発光部及び前記第二発光部はそれぞれＬＥＤ発光体であることを特徴としている。
【発明の効果】
【００１３】
本発明の照射器によると、皮膚に接触する接触面に、第一の可視光を発光する第一発光部、及び、第一の可視光よりも波長の短い第二の可視光を発光する第二発光部、が設けられるので、皮膚の異なる位置に第一の可視光と第二の可視光とを照射することができる。そして、第一の可視光を生体内のオプシン（光受容タンパク質遺伝子）が受容するとともに、第一の可視光よりも波長の短い第二の可視光を第一の可視光を受容したオプシンよりも浅い位置に存在する別のオプシンが受容することで、生体に影響を与える。出願人が実際に照射器を用いて第一の可視光及び第二の可視光を特定の複数人の皮膚の経穴の位置に照射した結果、肩凝り、関節痛、神経痛或いは緊張緩和に対する効能を認められた。特に照射する光が可視光であることで、紫外線や赤外線を照射した場合に起こり得る皮膚へのダメージを抑制して、安全に上記の効果を発揮することができる。また、第一発光部及び第二発光部がそれぞれ可視光を発光して皮膚に照射するものであるので、自ら発光するわけではない着色されたシートを皮膚に貼付する場合に比べて短時間で上記の効果を発揮することができる。
【００１４】
本発明の照射器によると、第二発光部は複数設けられ、当該第二発光部は、第一発光部を中心とする同一円周上に形成されるので、複数の第二発光部がそれぞれ第一発光部から等しい距離を開けて配置されることとなる。第一発光部の第一の可視光と当該第一の可視光よりも波長が短い第二発光部の第二の可視光とを適切な間隔を開けて皮膚に照射することができ、肩凝りや神経痛を緩和し、又は緊張を緩和することができる。
【００１５】
本発明の照射器によると、第二発光部は同一円周上に等間隔に６以上設けられるので、第一発光部を囲むように第二発光部が等間隔に配置されることとなり、照射器の接触面を皮膚に接触させる際に、第一発光部と第二発光部の位置関係を考慮する必要がなく、より容易に確実に皮膚の経穴に第一の可視光及び第二の可視光を照射することができる。
【００１６】
本発明の照射器によると、第一の可視光は、主波長が４９５ｎｍ以上であり、第二の可視光は、主波長が４９５ｎｍ未満であるので、第一の可視光は緑色、黄色、橙色、又は赤色であり、第二の可視光は青色又は紫色となる。そして、このような第一の可視光と第二の可視光との波長の相違によって、より確実に生体に影響を与え、肩凝りや神経痛を緩和し、又は緊張を緩和することができる。
【００１７】
本発明の照射器によると、第一発光部及び第二発光部の光度を調整可能な明るさ調整部を有するので、より適切な光度の第一の可視光及び第二の可視光を皮膚に照射することができる。
【００１８】
本発明の照射器によると、第一発光部及び第二発光部はそれぞれＬＥＤ発光体であるので、長寿命で指向性の高い可視光を皮膚に向かって発することができる。また、ＬＥＤ発光体とすることで、それぞれの発光部から発光する光の波長を狭い範囲に限定することができるので、効率よく必要な光を皮膚に照射することができる。なお、光の波長を狭い範囲に限定するので有害な紫外線を低減することができる。
【図面の簡単な説明】
【００１９】
【図１】照射器を接触端部側から見た外観構成を示す斜視図。
【図２】照射器を後端部側から見た外観構成を示す斜視図。
【図３】照射器の電気的構成を説明する電気回路図。
【図４】照射器の接触端部の接触面に形成された第一発光部及び第二発光部の配置例を説明する正面図。
【図５】第一発光部及び第二発光部の構成を説明する省略断面図。
【図６】照射器の接触端部の接触面に形成された第一発光部及び第二発光部の別の配置例を説明する正面図。
【図７】第二発光部が環状に配置された例を示す正面図。
【図８】照射器の接触端部の接触面に形成された第一発光部及び第二発光部の変形例を説明する正面図。
【図９】腰痛緩和の為に照射器を用いて皮膚の経穴に可視光を照射する例を示す図。
【図１０】図９の後に皮膚の別の経穴に可視光を照射する例を示す図。
【００２０】
以下、本発明の照射器１の実施形態について、各図を参照しつつ説明する。本実施形態の照射器１は、図１に示すように、一端に皮膚に接触する接触面２を有する接触端部３が設けられた円柱形状に形成されている。照射器１は、接触端部３の接触面２に設けられた第一発光部４及び第二発光部５を発光させることで皮膚の所定の位置に可視光を照射し、生体内のオプシン（光受容タンパク質遺伝子）が当該可視光を刺激として受容することで、肩凝り、関節痛、腰痛、神経痛等の治療、ストレス解消や緊張緩和等の効果を奏するものである。
【００２１】
照射器１は、図１及び図２に示すように、円筒状の本体部６と、本体部６の一端を塞ぐように配置される円形平板状の接触端部３と、本体部６の他端を塞ぐように配置される後端部７と、本体部６の側面に形成され半径方向の外側に向かって突出するスイッチ８とが形成されている。
【００２２】
本体部６は、例えばステンレスやアルミニウムなどの金属製丸パイプで形成されている。本体部６の直径は２５ｍｍで長さが１５５ｍｍに形成されている。このように本体部６が一般に流通量の多い金属製丸パイプとすることで材料原価を低減させることができるが、本体部６の形状はこれに限定されるものではなく、デザインや持ちやすさなどの要素を考慮して様々な形状を用いることができる。また、本体部６は金属製に限定されるものではなく、樹脂製や木製その他の材料製であってもよい。
【００２３】
接触端部３は、例えば樹脂製で、直径２５ｍｍの平坦な円盤状に形成されている。接触端部３は、本体部６の一端に接着されており、照射器１の軸方向の外側の面が接触面２である。接触端面の材質は特に限定されるものではないが、皮膚に接触させたときに不快ではないことが好ましく、金属よりも熱伝導率が低い材料であることが好ましい。接触端部３はの接触面２は面全体が皮膚に接触できるように平面、僅かに窪んだ曲面、又は僅かに膨らんだ曲面である。接触端部３の接触面２の形状はこれに限定されるものではなく、例えばつぼ押しやマッサージの機能を兼ねるように、皮膚に圧力の刺激を加える目的で尖った部分を有する形状としてもよい。
【００２４】
接触端部３には、図４及び図５に示すように、接触面２から照射器１の内部に向かって貫通する７つの貫通孔９ａ，９ｂが設けられている。これら７つの貫通孔９ａ，９ｂの内、接触端部３の接触面２の中心に形成された貫通孔９ａに赤色のＬＥＤ発光体１０ａが挿入されて、第一発光部４を形成している。また、第一発光部４の周りに距離を開けて配置される６つの貫通孔９ｂにそれぞれ青色のＬＥＤ発光体１０ｂが挿入されて、第二発光部５を形成している。
【００２５】
第一発光部４は接触面２の中心に形成されており、第二発光部５はその中心がそれぞれ第一発光部４の中心から６．２５ｍｍ離れた位置に配置されるように６つ形成されている。言い換えれば、第二発光部５は、第一発光部４を中心とする半径６．２５ｍｍの同一円周上に等間隔で６つ設けられている。なお、６つの第二発光部５同士の距離も６．２５ｍｍであり、第二発光部５から接触面２の外周縁までの距離も６．２５ｍｍとなっている。なお、照射器１の寸法距離はこれに限定されるものではないが、第一発光部４と第二発光部５との間の距離は、５ｍｍ以上で１０ｍｍ以下が好ましい。第一発光部４及び第二発光部５が近接しすぎると第一発光部４の発する第一の可視光と第二発光部５が発する第二の可視光とが皮膚の極めて近い位置に照射されることとなり、交じり合った光として認識されて、肩凝り、腰痛、神経痛等の治療、ストレス解消や緊張緩和に対して効果的ではない。また、第一の可視光と第二の可視光とが皮膚の１０ｍｍを超えて離れた位置を照射した場合も、それぞれの可視光が関連しない独自の光と認識されて効果的ではない。
【００２６】
なお、第二発光部５の数は６つに限定されるものではない。例えば図６に示すように、第二発光部５は１２個形成されていても良い。この場合であっても、第二発光部５は第一発光部４を中心とする同一円周上に等間隔で形成されることが好ましい。なお、多数の第二発光部５を配置する場合に、図７に示すように、当該第二発光部５の貫通孔９ｂを第一発光部４の周囲に環状に形成してもよい。この場合環状に形成された貫通孔９ｂ内に多数の青色のＬＥＤ発光体１０ｂを等間隔に配置すればよい。また、本実施形態における第一発光部４及び第二発光部５のＬＥＤ発光体１０ａ，１０ｂはそれぞれ１つのＬＥＤ素子から構成されているが、図８に示すように第一発光部４及び第二発光部５は複数のＬＥＤ発光体１０ａ，１０ｂから成るものであってもよい。この場合にも第一発光部４のＬＥＤ発光体１０ａはそれぞれ同一の波長の光を発光することが好ましく、第二発光部５のＬＥＤ発光体１０ｂは同一の波長の光を発光することが好ましい。
【００２７】
第一発光部４の発する第一の可視光は、本実施形態においては、分光分布の放射強度が波長５８０ｎｍから７３０ｎｍの範囲に集中し、ピーク波長が６４０ｎｍから６６０ｎｍの範囲にあり、主波長が６１０ｎｍから７６０ｎｍの範囲となる赤色のＬＥＤ発光体１０ａの光である。なお、第一発光部４は赤色のＬＥＤ発光体１０ａに限定されるものではなく、例えば、相対放射強度が波長５３０ｎｍから６３０ｎｍの範囲に集中し、ピーク波長が波長５４０ｎｍから５６０ｎｍの範囲にあり、主波長が５００ｎｍから５８０ｎｍの範囲となる図示しない緑色ＬＥＤ発光体であっても良い。なお第一の可視光の分光分布はこれに限られるものではなく、少なくとも主波長が４９５ｎｍ以上となることが好ましい。
【００２８】
第一発光部４の光源がＬＥＤ発光体であることで、狭い波長範囲の第一の可視光を効率的に照射することができるが、第一発光部４の光源はＬＥＤ発光体１０ａに限定されるものではなく、たとえば、図示しないが、白熱電球やアーク放電灯などを光源とし、赤色又は緑色の波長域を選択的に透過させるフィルターを貫通孔９ａ内に設けることで、第一発光部４を主波長が４９５ｎｍ以上となるように発光させるものであっても良い。
【００２９】
第二発光部５の発する第二の可視光は、本実施形態においては、分光分布の放射強度が波長４３０ｎｍから５３０ｎｍの範囲に集中し、ピーク波長が４５０ｎｍから４７０ｎｍの範囲にあり、主波長が４３５ｎｍから４８０ｎｍの範囲となる青色のＬＥＤ発光体１０ｂの光である。なお第二の可視光の分光分布はこれに限られるものではなく、少なくとも主波長が４９５ｎｍ未満となることが好ましい。
【００３０】
また、第二発光部５の光源がＬＥＤ発光体１０ｂであることで、前述の第一発光部４の光源と同じく、狭い波長範囲の第二の可視光を効率的に照射することができるが、第二発光部５の光源はＬＥＤ発光体１０ｂに限定されるものではなく、たとえば、図示しないが、白熱電球やアーク放電灯などを光源とし、青色の波長域を選択的に透過させるフィルターを貫通孔９ｂ内に設けることで、第二発光部５を主波長が４９５ｎｍ未満となるように発光させるものであっても良い。なお、このように貫通孔９ａ，９ｂ内にフィルターを設けて特定の波長域を選択的に透過させる構成とする場合には、一つの光源は１つでもよく、異なる波長域を透過させるフィルターを第一発光部４と第二発光部５とにそれぞれ配置することで、第一発光部４の主波長を４９５ｎｍ以上とし、第二発光部５の主波長を４９５ｎｍ未満とすることができる。
【００３１】
後端部７は、例えば樹脂製で、直径２５ｍｍの平坦な円盤状に形成されている。後端部７には、第一発光部４及び第二発光部５の光度をそれぞれ調整可能な明るさ調整部１２が形成されるとともに、充電用ケーブル接続端子１３が形成されている。明るさ調整部１２は、第一発光部４の光度を調整する第一発光調整部１２ａと第二発光部５の光度を調整する第二発光調整部１２ｂとを備えている。第一発光調整部１２ａ及び第二発光調整部１２ｂはそれぞれ十字溝が設けられており、回転させることによって回路上の抵抗値を変化させることができる可変抵抗である。また充電用ケーブル接続端子１３は、本実施形態においては、Ｍｉｃｒｏ−ＵＳＢ Ｔｙｐｅ−Ｂが用いられている。
【００３２】
スイッチ８は、照射器１の回路を開閉し、第一発光部４及び第二発光部５のＬＥＤ発光体１０ａ，１０ｂに電力を供給するものである。照射器１の内部に設けられている回路は、図３に示すように、充電用ケーブル接続端子１３から充電回路１４を経て充電池１５に接続されており、外部から充電用ケーブル接続端子１３を経て供給された電力を充電回路１４で管理しつつ充電地に充電する。また、充電池１５から充電回路１４を経てスイッチ８に接続されており、スイッチ８をＯＮすることで回路を閉じる。そして、スイッチ８は昇圧回路１６に接続されており、当該昇圧回路１６を経て第一発光部４の赤色のＬＥＤ発光体１０ａと第二発光部５の青色のＬＥＤ発光体１０ｂとが接続されている。赤色のＬＥＤ発光体１０ａ及び青色のＬＥＤ発光体１０ｂは互いに並列に接続されており、６つの青色のＬＥＤ発光体１０ｂは直列に接続されている。
【００３３】
そして、赤色のＬＥＤ発光体１０ａ及び青色のＬＥＤ発光体１０ｂはそれぞれ、定電流回路１７が接続されており、さらに可変抵抗である第一発光調整部１２ａ及び第二発光調整部１２ｂが接続されている。第一発光調整部１２ａは抵抗値を高めることで定電流回路１７に加わる電圧値を低下させて電流を低下させることができ、約０ｍＡから２０ｍＡまで電流を調整できるものである。また、第二発光調整部１２ｂは抵抗値を高めることで定電流回路１７に加わる電圧値を低下させて電流を低下させることができ、約０ｍＡから１０ｍＡまで電流を調整できるものである。そして、ＬＥＤ発光体１０ａ，１０ｂに供給される電流を調整することで赤色のＬＥＤ発光体１０ａ及び青色のＬＥＤ発光体１０ｂの光度を調整することができ、第一発光部４及び第二発光部５の光度を調整することができる。
【００３４】
以上のように形成される照射器１を用いて、肩凝り、腰痛、神経痛等の改善やストレス解消や緊張緩和等を図る際には、まず、必要に応じて第一発光調整部１２ａ及び第二発光調整部１２ｂを調整して、第一発光部４及び第二発光部５の明るさを調整した後、それぞれの改善したい症状に応じた経穴の位置の皮膚に照射器１の接触端部３の接触面２を接触させる。そして、スイッチ８を押して皮膚に第一の可視光及び第二の可視光を照射し、２０秒間照射を継続する。そして２０秒経過すると、スイッチ８を押して照射を停止する。さらに、必要に応じて、上述の作業を繰り返し、別の経穴の位置の皮膚にも第一の可視光及び第二の可視光を照射する。例えば、腰痛緩和を図る場合には、図９及び図１０に示すように腰痛点の２箇所の経穴に第一の可視光及び第二の可視光を照射する。
【００３５】
以上のように、本実施形態の照射器１を用いて、皮膚の経穴に２つの異なる波長の可視光を適切な距離を開けて照射することで、皮膚内のオプシンがそれぞれの波長の可視光を刺激として受容し、肩凝り、関節痛、及び神経痛の緩和、又は緊張緩和などの様々な効果を奏することができる。本実施形態の照射器１は第一発光部４及び第二発光部５がそれぞれ発光して皮膚に照射するものであるので、自ら発光するわけではない着色されたシートを皮膚に貼付する場合に比べて短時間で上記の効果を発揮することができる。
【００３６】
本発明の実施の形態は上述の形態に限ることなく、本発明の思想の範囲を逸脱しない範囲で適宜変更することができることは云うまでもない。
【産業上の利用可能性】
【００３７】
本発明に係る照射器１は皮膚の経絡に可視光を照射して、肩凝り、関節痛、及び神経痛の緩和、又は緊張緩和などを行う器具として好適である。
【符号の説明】
【００３８】
１      照射器
２      接触面
３      接触端部
４      第一発光部
５      第二発光部
１０ａ  赤色のＬＥＤ発光体
１０ｂ  青色のＬＥＤ発光体
１２    明るさ調整部
【図１】
2020141809.tif 000003
【図２】
2020141809.tif 000004
【図３】
2020141809.tif 000005
【図４】
2020141809.tif 000006
【図５】
2020141809.tif 000007
【図６】
2020141809.tif 000008
【図７】
2020141809.tif 000009
【図８】
2020141809.tif 000010
【図９】
2020141809.tif 000011
【図１０】
2020141809.tif 000012